(57)【要約】【課題】何らかの対象物を天井スラブから天井パネルの下方に吊り下げる吊構造の耐振性能を向上させる。【解決手段】対象物の吊構造は、天井スラブに接続され、天井材の下方に対象物を吊り下げる棒状の吊部材と、天井材の上方において吊部材を複数連結する梁部材と、梁部材の下方に設けられ、吊部材を挿通する筒状の補強部材と、補強部材の下方に設けられ、吊部材と螺合し、梁部材と共に補強部材を挟持するプレート部材とを備える。【選択図】図３
2018012965.tif 000002
【特許請求の範囲】
【請求項１】
天井スラブに接続され、天井材の下方に対象物を吊り下げる棒状の吊部材と、
前記天井材の上方において前記吊部材を複数連結する梁部材と、
前記梁部材の下方に設けられ、前記吊部材を挿通する筒状の補強部材と、
前記補強部材の下方に設けられ、前記吊部材と螺合し、前記梁部材と共に前記補強部材を挟持するプレート部材と、
を備える対象物の吊構造。
【請求項２】
前記吊部材は、前記天井材の開孔を貫通して前記天井材の下方に前記対象物を吊り下げ、
前記プレート部材は、前記開孔を覆う
請求項１に記載の吊構造。
【請求項３】
前記吊部材を長手方向に連結する連結部材をさらに備え、
前記連結部材は、前記開孔近傍において前記吊部材を連結すると共に、前記連結部材の周囲に前記補強部材が配置される
請求項１又は２に記載の吊構造。
【請求項４】
前記プレート部材の下方に、前記吊部材を挿通する筒状の第２の補強部材をさらに備え、
前記第２の補強部材の下方に前記対象物を吊り下げる
請求項１から３のいずれか一項に記載の吊構造。
【請求項５】
前記プレート部材の下方に、２つの前記吊部材間を連結するブレース材をさらに含み
前記ブレース材の下方に前記対象物を吊り下げる
請求項１から３のいずれか一項に記載の吊構造。
【請求項６】
前記梁部材と前記吊部材とを互いに結合させる接続部材をさらに有し、
前記接続部材の下端が、前記補強部材の上端全体を支持する
請求項１から５のいずれか一項に記載の吊構造。
【請求項７】
前記梁部材に一端が接続されると共に、前記吊部材の前記天井スラブ近傍に他端が接続されるブレース材をさらに備え、
前記対象物は、水平方向に設けられる梁状体によって構成される空間構造体である
請求項１から６のいずれか一項に記載の吊構造。
【発明の詳細な説明】
【技術分野】
【０００１】
本発明は、吊構造に関する。
【背景技術】
【０００２】
従来、上端を上部構造に接続し、下端側を吊り下げ対象物に接続して吊り下げ対象物を吊り下げ支持する吊りボルトを補強するための吊りボルト補強用部材が提案されていた（例えば、特許文献１）。この補強用部材は、上端側を上部構造に当接させ、吊りボルトに沿って上下方向に配設される補剛部材と、吊りボルトに螺着し、螺入させつつ補剛部材の下端を上方に押圧して補剛部材を保持する保持ナットとを備えて構成する。
【０００３】
また、溝部を持つ梁部材を、天井スラブから吊り下げる吊装置も提案されている（例えば、特許文献２）。本装置は、第一軸部と、前記第一軸部の基端側に設けられ、前記天井スラブと接続する第一接続部と、前記第一軸部の先端側に設けられ、前記開口部から前記溝部内に挿入することで、前記溝部内のうち、前記開口部を基線とする一方側の溝部内と接触して該梁部材を支持する第一支持部と、を有する第一吊部材と、前記第一吊部材と着脱できる第二吊部材であって、前記第一吊部材の軸部と接する第二軸部と、前記第二軸部の先端側に設けられ、前記開口部から前記溝部内に挿入することで、前記溝部内のうち、前記開口部を基線とする他方側の溝部内と接触して該梁部材を支持する第二支持部と、を有する第二吊部材と、を備える。
【先行技術文献】
【特許文献】
【０００４】
【特許文献１】特開２０１６−００３４９１号公報
【特許文献２】特開２００９−０８４８５８号公報
【発明の概要】
【発明が解決しようとする課題】
【０００５】
梁や天井パネルによって構成される吊天井を吊ボルトを用いて天井スラブから吊り下げるいわゆるシステム天井に関する技術がある。一方、空間構造体のような吊り下げ対象物を天井スラブから天井パネルの下方に吊り下げるような場合、天井パネルの吊り下げ構造との間で部材が干渉するおそれがある。また、振れ止め用の部材が十分に設置できない場合、耐振性能が低下するおそれがある。
【０００６】
本発明は、上記のような問題に鑑みてなされたものであって、何らかの対象物を天井スラブから天井パネルの下方に吊り下げる吊構造の耐振性能を向上させることを目的とする。
【課題を解決するための手段】
【０００７】
本発明に係る対象物の吊構造は、天井スラブに接続され、天井材の下方に対象物を吊り下げる棒状の吊部材と、天井材の上方において吊部材を複数連結する梁部材と、梁部材の下方に設けられ、吊部材を挿通する筒状の補強部材と、補強部材の下方に設けられ、吊部材と螺合し、梁部材と共に補強部材を挟持するプレート部材とを備える。
【０００８】
天井パネルよりも上方の空間には、天井パネル等を吊るための部材が配置されており、施工の都合上、空間構造体を吊るための梁部材等を天井パネルの近傍に設けることは難しい。上述のような補強部材を設けることによって、天井パネルから間隔を空けて梁部材を設ける場合であっても、梁部材の下方の部分の強度を向上させることができる。すなわち
、対象物を天井スラブから天井パネルの下方に吊り下げる吊構造の耐振性能を向上させることができる。
【０００９】
また、吊部材は、天井材の開孔を貫通して天井材の下方に対象物を吊り下げ、プレート部材は、開孔を覆うようにしてもよい。このようにすれば、補強部材を支持するプレート部材に、天井材に設けられた開孔を覆う蓋の役割を兼ねさせることができ、少ない部材で美感を向上させることができる。
【００１０】
また、吊部材を長手方向に連結する連結部材をさらに備え、連結部材は、開孔近傍において吊部材を連結すると共に、前記連結部材の周囲に前記補強部材が配置されるようにしてもよい。このようにすれば、室内に延伸する吊部材を追加したり、撤去したりすることが容易になる。
【００１１】
また、プレート部材の下方に、吊部材を挿通する筒状の第２の補強部材をさらに備え、第２の補強部材の下方に対象物を吊り下げるようにしてもよい。このようにすれば、プレート部材の下方、すなわち吊構造の室内部分における耐振性能を向上させることができる。
【００１２】
また、プレート部材の下方に、２つの吊部材間を連結するブレース材をさらに含み、ブレース材の下方に対象物を吊り下げるようにしてもよい。空間に余裕がある場合は、このようにブレース材を用いて吊構造の室内部分における耐振性能を向上させるようにしてもよい。
【００１３】
また、梁部材と吊部材とを互いに結合させる接続部材をさらに有し、接続部材の下端が、補強部材の上端全体を支持するようにしてもよい。このようにすれば、梁部材と吊部材との結合を強固にすると共に、補強部材と梁部材との間の接続部分における断面積をできるだけ大きくとり、耐振性能を向上させることができる。
【００１４】
また、梁部材に一端が接続されると共に、吊部材の天井スラブ近傍に他端が接続されるブレース材をさらに備え、対象物は、水平方向に設けられる梁状体によって構成される空間構造体であってもよい。具体的には、対象物としてこのような空間構造体を吊り下げることができ、また、梁部材の上方についてはブレース材によって耐振性能を担保することができる。
【発明の効果】
【００１５】
本発明によれば、何らかの対象物を天井スラブから天井パネルの下方に吊り下げる吊構造の耐振性能を向上させることができる。
【図面の簡単な説明】
【００１６】
【図１】実施形態１に係るシステム天井及び空間構造体を含む吊構造の斜視図である。
【図２】（Ａ）は、システム天井を図１の梁部材の長手方向に直交する方向から見た図（正面図）であり、（Ｂ）は、システム天井を図１の梁部材の長手方向の延長上から見た図（側面図）である。
【図３】振れ止め装置とその近傍の構成を示す斜視図である。
【図４】振れ止め装置とその近傍の構成を示す分解斜視図である。
【図５】接続装置を示す斜視図である。
【図６】実施形態２に係る振れ止め装置とその近傍の構成を示す斜視図である。
【図７】（Ａ）は、実施形態３に係るシステム天井の正面図であり、（Ｂ）は、実施形態３に係るシステム天井の側面図である。
【図８】実施形態３に係る振れ止め装置とその近傍の構成を示す斜視図である。
【図９】梁状体を支持する接続部材の正面図である。
【図１０】梁状体を支持する接続部材の側面図である。
【図１１】接続部材の正面側を斜め上方から見た斜視図である。
【図１２】接続部材の正面側を斜め下方から見た斜視図である。
【図１３】接続部材の背面側を斜め上方から見た斜視図である。
【発明を実施するための形態】
【００１７】
次に、本発明の実施形態について図面に基づいて説明する。なお、以下で説明する実施形態は本発明を実施するための例示であり、本発明は以下で説明する態様に限定されない。
【００１８】
＜実施形態１＞
図１は、実施形態１に係るシステム天井及び空間構造体を含む吊構造の斜視図を示す。本実施形態に係るシステム天井１は、水平方向に延びる複数の梁部材２、梁部材２を天井スラブ３から吊り下げる吊部材４、梁部材２と吊部材４とを接続する接続装置５、当該吊構造の振れを抑制するブレース材６及び振れ止め装置７を備える。また、吊部材４は、天井パネル８の下方に、吊り下げ対象物である空間構造体９を吊り下げている。空間構造体９は、水平方向に設けられる梁状体９２が組み合わされ、照明やプロジェクタを吊り下げたり、配線を巡らせたり、部分的に壁面を吊り下げて室内空間を仕切る構造体として形成されたものである。空間構造体９の構成は図１の例には限定されず、空間構造体９を構成する梁状体９２、その他の部材の数及び配置は適宜変更することができ、鉛直方向又は水平方向にブレースをさらに有していてもよい。
【００１９】
図２の（Ａ）は、システム天井をある梁部材の長手方向に直交する方向から見た図（便宜上、「正面図」と呼ぶ）を示す。また、図２の（Ｂ）は、システム天井を図１の梁部材の長手方向の延長上から見た図（便宜上、「側面図」と呼ぶ）を示す。
【００２０】
梁部材２は、所定形状の横断面を有し材軸方向（軸心方向）に延びる形鋼であり、本実施形態では溝形鋼（「チャンネル鋼」、「Ｃ形鋼材」とも呼ぶ）である。梁部材２は、その長手方向が水平方向にほぼ沿って設けられる。天井スラブ３は、一般的なコンクリートスラブであり、換言すれば上階の床スラブである。天井スラブ３の下方には、いわゆるアンカーボルト等の連結部材（図示せず）が設けられており、吊部材４を固定することができる。吊部材４は、天井スラブ３から対象物を吊り下げる棒状の吊り金具である。吊部材４は、例えば円柱状の鋼棒の全長にわたってその側面に雄ねじが切られた、いわゆる吊ボルトである。接続装置５は、梁部材２と吊部材４とをまとめて挟み、ボルト等を利用して互いに結合する金具である。ブレース材６は、所定形状の横断面を有し材軸方向に延びる形鋼であり、Ｃ形鋼材、Ｌ形鋼材、Ｈ形鋼材等を採用することができる。ブレース材６は、下部に設けられる一端が梁部材２にボルト及びナットを用いて接続され、上部に設けられる他端が吊部材４の上部に引掛けられ、梁部材２と接続される一端との間で斜めに接続されている。振れ止め装置７は、吊部材４を挿通する筒状の補強部材７１と、補強部材７１を下方から支持するプレート部材７２とを含む。補強部材７１は、梁部材２とプレート部材７２とに挟持され、吊構造において補強部材７１が配置される部分の断面積を大きくすることでシステム天井１及び空間構造体９の耐振性能を向上させる。プレート部材７２は、吊部材４を挿通する穴を有するプレートに、吊部材４と螺合するナットを結合したものである。
【００２１】
また、梁部材２から間隔を空けてその下方に天井パネル８も吊られている。天井パネル８は、天井パネル８を吊るための吊ボルト８２によって天井スラブから吊られている。天井パネル８は、既存の天井材であるが、吊部材４を挿通するための開孔８１が設けられて
いる。また、吊部材４は、開孔８１を貫通し、天井パネル８の下方に空間構造体９を吊る。なお、吊ボルト８２は、天井パネル８を貼るための下地となる野縁（図示せず）を吊るような構造であってもよい。また、吊ボルト８２の上部と野縁とを接続するブレース材（図示せず）を設け、吊天井の耐振性能を向上させるようにしてもよい。
【００２２】
天井パネル８の下方、且つ空間構造体９の上方には、２つの吊部材４の間にブレース材（第２のブレース材とも呼ぶ）１０が設けられている。具体的には、下方に位置するブレース材１０の一端はある吊部材４の空間構造体９近傍に接続され、上方に位置するブレース材１０の他端は他の吊部材４の天井パネル８近傍に接続されている。このようなブレース材１０により、室内空間における空間構造体９といわゆる天井との間の範囲について耐振性能を向上させることができる。
【００２３】
図１及び図２に示すように、天井パネル８よりも上方のいわゆる天井裏の空間には、天井パネル８を吊るための部材が配置されており、施工の都合上、空間構造体９を吊るための梁部材２やブレース材６を天井パネル８の近傍に設けることは難しい。このような場合において、所定の耐振性能を担保するため、本実施形態では、梁部材２の上方から天井スラブ３の下方までの部分にはブレース材６を設け、梁部材２の下方には振れ止め装置７を設けている。
【００２４】
図３は、振れ止め装置とその近傍の構成を示す斜視図である。図４は、振れ止め装置とその近傍の構成を示す分解斜視図である。図５は、接続装置を示す斜視図である。振れ止め装置７の補強部材７１は、円筒状の部材であり、その内径は吊部材４の横断面の外径よりも大きくなっており、吊部材４を挿通することができる。また、補強部材７１は、例えばアルミニウムやステンレス等で形成する。なお、補強部材７１の形状は円筒に限らず、断面が多角形やその他の形状の筒状であってもよい。
【００２５】
プレート部材７２は、中央に挿通孔を有する円形のプレート７２１と、ナット７２２とが溶接等により結合されて形成されている。プレート７２１の挿通孔は、吊部材４の横断面の外径よりも大きく、また、プレート７２１の外径は、補強部材７１の横断面の外径よりも大きい。ナット７２２は、吊部材４と螺合し、プレート部材７２を吊部材４の任意の位置に設けることができる。また、本実施形態では、プレート部材７２は、天井パネル８の開孔８１の下方且つ近傍に設けられ、プレート部材７２は、室内から見て開孔８１を覆う蓋としても機能する。
【００２６】
また、補強部材７１は、梁部材２とプレート部材７２とによって挟持される。すなわち、補強部材７１の上端は、梁部材２の下面（より正確には接続装置５の下面）によって支持され、補強部材７１の下端は、プレート部材７２のプレート７２１の上面によって支持される。ナット７２２を締め付けることにより吊部材４にかかる軸力によって、補強部材７１は梁部材２対して強固に固定されると共に、補強部材７１を設けることで吊構造における当該部分の断面性が大きくなり、吊部材４の振れを抑制することができる。
【００２７】
接続装置５は、梁部材２に結合されて吊部材４を挿通するループを形成する第１の接続部材５１と、梁部材２及び吊部材４を互いに押さえつけるように挟む第２の接続部材５２とを含む。なお、接続装置５は上下がほぼ対称の形状になっている。第１の接続部材５１は、溝形鋼である梁部材２のウェブ２１とほぼ平行に設けられるほぼ矩形の平面５１１と、平面５１１の水平方向の両端をウェブ２１に対しほぼ垂直に屈曲させ、一端が平面５１１に接続された２つの側面５１２と、側面５１２の他端をウェブ２１に沿って屈曲させ、ウェブ２１と結合される２つの結合面５１３と、平面５１１の鉛直方向の両端を梁部材２のフランジ２２とほぼ平行に屈曲させ、吊部材４を挿通する切欠き５１６が設けられた２つの吊部材挿通面５１５とを備える。２つの結合面５１３には、ボルトを挿通するボルト
穴５１４が２つずつ設けられている。また、本実施形態では、ドリルねじ５１７を用いて第１の接続部材５１を梁部材２に固定している。なお、梁部材２に予めボルト穴をあけておき、ナットをさらに用いて第１の接続部材５１と梁部材２とを接続するようにしてもよい。第１の接続部材５１は、その高さが梁部材２の２つのフランジ２２間とほぼ同じであり、第１の接続部材５１の少なくとも一部は、梁部材２が有する溝の内部（すなわち２つのフランジ２２間）に収まるようになっている。
【００２８】
第２の接続部材５２は、側面視においてコ字状の部材であり、梁部材２を覆うように設置される。また、第２の接続部材５２は、梁部材２のウェブ２１とほぼ平行に設けられるほぼ矩形の平面５２１と、平面５２１の鉛直方向の両端をウェブ２１に対してほぼ垂直に屈曲させ、吊部材４を挿通させる切欠き５２４が設けられた２つの吊部材挿通面５２３とを有する。切欠き５２４は、ほぼ矩形である吊部材挿通面５２３の平面視上、平面５２１とほぼ平行に設けられると共に、吊部材４の横断面の外径よりも大きな幅を有し、吊部材４を挿入することができる。また、平面５２１は、その中央付近にボルト５２５を挿入するねじ穴５２２が設けられている。ボルト５２５は、ねじ穴５２２に挿入され、締めつけることにより、その先端が梁部材２のウェブ２１をボルト５２５の挿入方向に押し込む。また、切欠き５２４は、ボルト５２５の挿入方向に向かって、吊部材４の横断面の外形と合致する凹みを有する。一方、ボルト５２５が梁部材２のウェブ２１を押し込むと、梁部材２のフランジ２２の端部は吊部材４と接触し、吊部材４は第２の接続部材５２の切欠き５２４の上記凹みに固定される。以上のように、第２の接続部材５２は、ボルト５２５を締めつけることで梁部材２と吊部材４とを強固に挟み、結合させることができる。また、第２の接続部材５２の下面は、補強部材７１の上端の全体と接する形状になっている。具体的には、ほぼ矩形である第２の接続部材５２の下面の各辺の長さは、円形である補強部材７１の上端の直径よりも大きくなっている。これにより、仮に梁部材２のフランジ２２の幅が補強部材７１の上端の直径よりも小さいような場合であっても、接続装置５の下面によって補強部材７１の上面全体を支持することができる。すなわち、接続部分の断面積を大きくとることができ、耐振性能が向上する。
【００２９】
また、プレート部材７２の下方には、ブレース材１０を固定する取付部材１０１が吊部材４の周囲に設けられる。取付部材１０１は、２つ重ねて吊部材４を挟む、平面視において半円状の部分と、当該部分の水平方向の両端に延び、重ね合わせてボルトとナットで接続するための結合部とを有する。また、ブレース材１０の一端には、水平方向にボルトを通過させるボルト穴が設けられており、取付部材１０１と共にボルト及びナットで結合することができる。
【００３０】
このように、本実施形態では、プレート部材７２の下方（すなわち、天井パネル８の下方）から、空間構造体９の上方（梁状体９２の上方）までの範囲について、第２のブレース材によって耐振性能を担保している。
【００３１】
＜実施形態２＞
図６は、実施形態２に係る振れ止め装置とその近傍の構成を示す分解斜視図である。なお、本実施形態に係る構成の概略は実施形態１と同様であるため、対応する構成については対応する符号を付し、説明を省略する。
【００３２】
本実施形態では、吊部材４は天井パネル８の上方且つ近傍で連結するための連結部材１１を備える。連結部材１１は、例えば両端にボルトを接続することができる連結ナット（高ナット）である。また、連結部材１１の横断面外径は補強部材７１の内径よりも小さく、補強部材７１には吊部材４及び連結部材１１を挿通することができる。
【００３３】
このような構成にすることで、例えば空間構造体９の構成の変更に伴い、室内に延伸す
る吊部材４を追加したり、撤去したりすることが容易になる。すなわち、天井パネル８を取り外すことなく、開孔８１の下から、連結部材１１と吊部材４を取り付けたり、取り外したりすることができる。また、連結部材１１の周囲に補強部材７１が配置され、連結部分への応力の集中が抑制されている。
【００３４】
＜実施形態３＞
図７（Ａ）は、実施形態３に係るシステム天井の正面図を示す。図７の（Ｂ）は、本実施形態に係るシステム天井の側面図を示す。また、図８は、実施形態３に係る振れ止め装置７とその近傍の構成を示す斜視図である。なお、本実施形態においても、実施形態１と対応する構成については対応する符号を付し、説明を省略する。
【００３５】
本実施形態では、例えば天井パネル８と空間構造体９との間にブレースを設けるだけの充分な空間がとれない場合に、補強部材７１を利用する。具体的には、実施形態１において設けられていたブレース材１０の代わりに、補強部材７１を用いる。すなわち、本実施形態に係る吊構造は、プレート部材７２の下方、且つ空間構造体９（梁状体９２）の上方にも補強部材７１を備える。なお、便宜上、プレート部材７２の上方に設けられる補強部材７１を第１の補強部材、プレート部材７２の下方に設けられる補強部材７１を第２の補強部材とも呼ぶ。また、第１の補強部材と、第２の補強部材とは設置する条件に応じて材軸方向の長さが異なっていてもよい。また、第２の補強部材の下端は、吊部材４を梁状体９２と接続するための接続部材１２と接続される。
【００３６】
図９は、実施形態に係る梁状体９２を支持する接続部材の正面図を示す。図１０は、梁状体９２を支持する接続部材の側面図を示す。梁状体９２は、材軸方向に対して垂直に切断した横断面において均等に四分割された形状を含んでいる。すなわち、横断面視上において、中心部９２１から四方に放射状に隔壁９２２が伸び、隔壁９２２の先端は、梁状体９２の断面における正方形の頂点Ｐを形成している。一つの頂点Ｐから隣接する頂点Ｐに向かって、壁面９２３が延びている。一の頂点Ｐから延びる壁面９２３と、それに隣接する他の頂点Ｐから延びる壁面９２３は、両頂点Ｐの中間手前まで延びており、両者は接触しない。従って、対向する壁面９２３同士の間、すなわち対向する壁面９２３の先端部分である蓋部９２６同士の間には、開口部９２４が形成される。また、一対の壁面９２３と隔壁９２２と中心部９２１とによって、溝部９２５が形成されている。これらの開口部９２４および溝部９２５は、梁状体９２の材軸方向にその全長にわたって伸びている。そして、開口部９２４は、溝部９２５内の空間よりも狭く形成されている。壁面９２３の先端部分である蓋部９２６は、溝部９２５内へ挿入された、接続部材１２が抜けるのを防止し、また、接続部材１２によって支持される際の接触部分として機能する。
【００３７】
なお、本実施形態の梁状体９２には、更に、梁状体９２の断面の各頂点Ｐにおいて、各頂点Ｐから梁状体９２の外方向に延出し、該頂点Ｐにつながる二つの壁面９２３にそれぞれ直交する二つの外壁９２７が設けられている。その結果、一つの頂点Ｐから延出する外壁９２７と、それに隣接する他の頂点Ｐから延出する外壁９２７は対向する。そして、この対向する外壁９２７と、これらとつながる一対の壁面９２３とによって、梁状体９２の表面上に半閉空間である収容部９２８が形成される。収容部９２８は、接続部材１２の下部を覆う他、例えば照明器具のケーブルや情報機器のケーブル等を収納することができる。なお、収容部９２８にはカバーを設けてもよく、これにより美観を向上することができる。また、例えば溝部９２５にスライドナット１２３４を挿入し、開口部９２４を挟んで照明やプロジェクタ（図示せず）を梁状部９１の下方に取り付けるようにしてもよい。
【００３８】
次に、接続部材１２について説明する。図１１は、接続部材１２の正面側を斜め上方から見た斜視図を示す。図１２は、接続部材１２の正面側を斜め下方から見た斜視図を示す。図１３は、接続部材１２の背面側を斜め上方から見た斜視図を示す。
【００３９】
接続部材１２は、吊部材４と接続される、接続部材１２の吊部材用接続部１２１と、接続部材１２の吊部材用接続部１２１と連なり下方に延びる接続部材１２の軸部１２２と、接続部材１２の軸部１２２と連なり、梁状体９２を支持する接続部材１２の梁部材用支持部１２３とを備える。また、接続部材１２の梁部材用支持部１２３は、接続部材１２の吊部材用接続部１２１の直下に位置し、溝部１２５内に挿入されて梁状体９２を支持する第１の梁部材用支持部１２３１と、接続部材１２の吊部材用接続部１２１の斜め下方、かつ、溝部９２５上に位置し、梁状体９２を支持する第２の梁部材用支持部１２３２とを含む。また、２つの水平板からなる第２の梁部材用支持部１２３２には、スライドナット１２３４とねじＮ１を用いて固定する際にねじＮ１が貫通する水平板のねじ孔１２３３が形成されている。
【００４０】
接続部材１２の吊部材用接続部１２１は、水平な四角形の平板部材によって形成され、吊部材４が貫通するＵ字形の切り欠き１２１１が形成されている。Ｕ字形の切り欠き１２１１は、梁状体９２の溝部９２５の真上に位置する。また、接続部材１２の吊部材用接続部１２１の上面は、角ワッシャー１２４と接する。
【００４１】
接続部材１２の軸部１２２は、平板部材が折り曲げられて形成されている。接続部材１２の軸部１２２は、上部、折り曲げ部、下部を含む。接続部材１２の吊部材用接続部１２１の１辺から連なる接続部材１２の軸部の上部１２２１は、垂直板からなる。接続部材１２の軸部の上部１２２１の下端には、水平坂からなる水平な折り曲げ部１２２２が連なっている。更に、水平な折り曲げ部１２２２には、接続部材１２の軸部の下部１２２３が連なっている。接続部材１２の軸部の下部１２２３は、接続部材１２の軸部の上部１２２１と同じく垂直板であるが、接続部材１２の軸部の上部１２２１よりも幅が広く形成されている。接続部材１２の軸部の下部１２２３は、梁状体９２の溝部９２５の真上、換言すると、吊部材４の軸心の真下に位置する。これにより、接続部材１２は、安定的に、梁状体９２を支持することができる。
【００４２】
第１の梁部材用支持部１２３１は、接続部材１２の軸部の下部１２２３に連なり、梁状体９２の軸心方向（長手方向）と直交する方向に延びる２つの水平な小片からなる。２つの水平な小片からなる第１の梁部材用支持部１２３１は、梁状体９２の溝部９２５内に収容され抜けないよう、相反する向きに形成されている。２つの水平な小片からなる第１の梁部材用支持部１２３１は、溝部９２５内に収容された際に、上面が蓋部９２６の下面と接する。
【００４３】
第２の梁部材用支持部１２３２は、接続部材１２の軸部の下部１２２３のうち、第１の梁部材用支持部１２３１の外側に連なる２つの水平板からなる。２つの水平板からなる第２の梁部材用支持部１２３２は、溝部９２５の一部を形成する蓋部９２６の上面と接するよう、２つの水平な小片からなる第１の梁部材用支持部１２３１よりも高い位置に形成されている。そして、接続体１２は、第１の梁部材用支持部１２３１が梁状体９２の壁面９２３の下方に、第２の梁部材用支持部１２３２が梁状体９２の壁面９２３の上方に位置するように、梁状体９２の端部から梁状体９２の軸方向に沿ってスライドさせ、梁状体９２と結合させることができる。さらに、梁状体９２と接続部材１２とは、図８〜１０に示したねじＮ１を用い、スライドナット１２３４と第２の梁部材用支持部１２３２とを、梁状体９２の壁面９２３を挟んで固定される。このようにすれば、揺れ等により梁状体９２と接続部材１２とが相対的に移動することが抑制される。
【００４４】
角ワッシャー１２４は、補強部材７１と吊部材用接続部１２１との間に挿入され、補強部材７１の下端全体を支持する。すなわち、補強部材７１との結合部分の断面積をできるだけ大きくすることで、耐振性能を向上させている。角ワッシャー１２４は、水平な四角
形の平板部材によって形成され、吊部材４が貫通するＵ字形の切り欠き（図示せず）が形成されている。
【００４５】
例えば室内の床から天井パネル８までの高さが低く、空間構造体９の上方にブレース材１０を設けることが難しい場合であっても、実施形態３の構成によれば、第２の補強部材によって耐振性能を向上させることができる。
【００４６】
なお、説明した各実施形態に係る構成は、可能な限り組合せて実施することができる。
【符号の説明】
【００４７】
１    ：システム天井
２    ：梁部材
３    ：天井スラブ
４    ：吊部材
５    ：接続装置
５１  ：第１の接続部材
５２  ：第２の接続部材
６    ：ブレース材
７    ：振れ止め装置
７１  ：補強部材
７２  ：プレート部材
７２１：プレート
７２２：ナット
８    ：天井パネル
８１  ：開孔
８２  ：吊ボルト
９    ：空間構造体
９２  ：梁状体
１０  ：ブレース材
１１  ：連結部材
１２  ：接続部材
【図１】
2018012965.tif 000003
【図２】
2018012965.tif 000004
【図３】
2018012965.tif 000005
【図４】
2018012965.tif 000006
【図５】
2018012965.tif 000007
【図６】
2018012965.tif 000008
【図７】
2018012965.tif 000009
【図８】
2018012965.tif 000010
【図９】
2018012965.tif 000011
【図１０】
2018012965.tif 000012
【図１１】
2018012965.tif 000013
【図１２】
2018012965.tif 000014
【図１３】
2018012965.tif 000015